(57)【要約】【課題】建物のフロアー毎の排水を集めるために使用する排水用配管系における集合管のメーカー仕様が異なることによる集合管支持の高さ位置の変化に拘らず共通の支持金具による集合管支持を可能にする。【解決手段】コンクリートスラブに起立設置する所定間隔左右一対の支柱１０を断面Ｌ字状のアングル材によって形成する一方，この支柱１０間に架設し前後に対向配置する一対のバンド部材２０に，その支持アーム部２３の各片側先端に折曲片２６と傾斜折返片２７によるレ字状のスライドガイド２５を形成し，該スライドガイド２５によってアングル材を抱え込むようにすることによって支柱１０の高さ位置を上下に調整可能とし，ボルトナットによって一対のバンド部材２０を支柱１０の任意高さ位置で一体化して，その長手方向中央位置で集合管２を抱持してその支持を行うようにする。【選択図】        図１
2004156256.tif 000002
【特許請求の範囲】
【請求項１】
コンクリートスラブ上に起立固定した所定間隔左右一対の支柱と，該一対の支柱に長手方向端部を上下方向スライド自在且つその任意の高さ位置で固定自在とするように前後に対向配置することによって支柱間中央位置に平面円形の集合管抱持部を形成自在の帯状にして平面半円のバンド部及びその両側に支柱側に向けて突出した帯状の支持アーム部を有し該支持アーム部中間位置で相互に固定自在とした前後に一対のバンド部材とを備え，上記一対の支柱を断面Ｌ字状とするとともにそのＬ字コーナー位置を前後にずらすように反転した内側対面状に配置するともに上記一対のバンド部材における支持アーム部の各長手方向一方の先端部に上記アングル材の外側面に添って２面で対接し且つ先端に外れ止め用の折返片を有して上記アングル材に上下方向スライド自在とするスライドガイドを形成するとともに該スライドガイド乃至その近傍の支持アーム部にアングル材外側面を押圧することによって上記一対のバンド部材を任意高さ位置で押圧固定自在とする固定部材とを備えてなることを特徴とする排水集合管支持金具。
【請求項２】
上記スライドガイドを，支持アーム部に直交する折曲片とその先端の傾斜折返片とによって支持アーム部先端にレ字状に形成してなることを特徴とする請求項１に記載の排水集合管支持金具。
【請求項３】
上記固定部材を，支持アーム部又はスライドガイドに形成し乃至設置したナットに螺装することによってアングル材外側面を押圧するネジ部材によるものとしてなることを特徴とする請求項１又は２に記載の排水集合管支持金具。
【発明の詳細な説明】
【０００１】
【発明の属する技術分野】
本発明はマンション，オフィスビル等の中高層建築物の排水用配管に使用する排水集合管支持金具に関する。
【０００２】
【従来の技術】
この種排水用配管に使用する集合管２は，建物の各フロアーの複数の排水管を排水用の主管１に連結して主管に介設し建物の上下を貫通する排水用配管系をなすように，一般に，上階の主管螺装用にして主管よりやや径大にして内側上端に雌ネジを刻設した基部３，該基部３突設し同じく内側先端に雌ネジを刻設した複数の排水管連結部４，その下位の下階の主管螺装用にして先細り状にして先端を主管よりやや径大にして同じく内側に雌ネジを刻設した下部連結部５とを備えたものとされており，このときその支持金具Ａは，図７に示すように，コンクリートスラブ４０上に起立固定した所定間隔左右一対にして上端に高さ調整用の長孔を透設した厚肉プレート状の支柱１０と，前後に対向配置することによって支柱間中央位置に平面円形の集合管抱持部を形成自在の帯状にして平面半円のバンド部及びその両側に支柱側に向けて突出した帯状の支持アーム部を有し該支持アーム部中間位置で相互に固定自在とするとともにその長手方向両端部にボルト孔を透設した一対のバンド部材２０と，厚肉プレート状の支柱１０を挟むように配置した一対のバンド部材のボルト孔を貫通締着することによって支柱の上記長孔の範囲で一対のバンド部材２０を上下方向高さ調整自在とするボルトナットとを備えたものとされている。
【０００３】
【非特許文献１】
日栄インテック株式会社「配管支持金具総合カタログＮｏ．９」
５３頁  ２００１年４月
【０００４】
【発明が解決しようとする課題】
しかし乍ら集合管２の基本形状は上記のとおりであるも，メーカーによってその具体的な仕様が様々であり，特に抱持状に支持する対象をなす集合管２における基部３の位置や長さ（高さ）が異なる傾向が強くなってきており，一方支柱１０はスラブに起立固定する所定高さを有するものとされるから，上記長孔の範囲でバンド部材２０固定位置の高さ調整が可能であっても，仕様の異なるメーカー毎の集合管２に共通に使用することが現実には不可能となっている。
【０００５】
このとき長孔の寸法を長くすれば，支柱１０が所定長さであってもこれら集合管２に共通使用することが可能となるが，集合管支持金具Ａは建物の各フロアーで集合管２を支持することによって荷重負荷を常時大きく受けるために，共通使用のために長孔の寸法を長くすると支柱の強度が弱まり，支持金具Ａとして不適当となる可能性がある。
【０００６】
本発明はこのような事情に鑑みてなされたもので，その解決課題とするところは支柱強度を可及的高度に確保し，長期の耐久性を備え，メーカーによって仕様が様々な集合管に可及的に共通使用可能とするように支柱の任意位置においてその支持を可能とした排水集合管支持金具を提供するにある。
【０００７】
【課題を解決するための手段】
上記課題に添って本発明は，支柱を形状として強度に優れる断面Ｌ字状のアングル材を用いたものとするとともに，一対のバンド部材の一方の支持アーム部先端に，該アングル材の外側面に添って２面で対接し且つ先端に外れ止め用の折返片を有するスライドガイドを形成し，該スライドガイドによって上記アングル材を抱え込むように上下方向スライド自在とするとともにこのスライドガイド乃至その近傍に固定部材を配置し，該固定部材によってその内側に位置するアングル材の外側面を押圧することによって一対のバンド部材を任意高さ位置で押圧固定自在とするようにしたものであって，即ち請求項１に記載の発明を，コンクリートスラブ上に起立固定した所定間隔左右一対の支柱と，該一対の支柱に長手方向端部を上下方向スライド自在且つその任意の高さ位置で固定自在とするように前後に対向配置することによって支柱間中央位置に平面円形の集合管抱持部を形成自在の帯状にして平面半円のバンド部及びその両側に支柱側に向けて突出した帯状の支持アーム部を有し該支持アーム部中間位置で相互に固定自在とした前後に一対のバンド部材とを備え，上記一対の支柱を断面Ｌ字状とするとともにそのＬ字コーナー位置を前後にずらすように反転した内側対面状に配置するともに上記一対のバンド部材における支持アーム部の各長手方向一方の先端部に上記アングル材の外側面に添って２面で対接し且つ先端に外れ止め用の折返片を有して上記アングル材に上下方向スライド自在とするスライドガイドを形成するとともに該スライドガイド乃至その近傍の支持アーム部にアングル材外側面を押圧することによって上記一対のバンド部材を任意高さ位置で押圧固定自在とする固定部材とを備えてなることを特徴とする排水集合管支持金具としたものである。
【０００８】
請求項２に記載の発明は，上記に加えて，スライドガイドを，その加工が比較的容易にしてアングル材に対するして上下方向スライドを可及的確実になし得て，アングル材からの外れや，引っ掛りによるスライド不良を生じることのないものとするように，これを，上記スライドガイドを，支持アーム部に直交する折曲片とその先端の傾斜折返片とによって支持アーム部先端にレ字状に形成してなることを特徴とする請求項１に記載の排水集合管支持金具としたものである。
【０００９】
請求項３に記載の発明は，同じく上記に加えて，固定部材を，可及的簡単な構造にして簡易な操作によって確実な固定をなし得るものとするように，これを，上記固定部材を，支持アーム部又はスライドガイドに形成乃至設置したナットに螺装することによってアングル材外側面を押圧するネジ部材によるものとしてなることを特徴とする請求項１又は２に記載の排水集合管支持金具としたものである。
【００１０】
本発明はこれら請求項記載の発明をそれぞれ発明の要旨として上記課題解決の手段としたものである。
【００１１】
【発明の実施の形態】
以下図面の例に従って本発明を更に具体的に説明すれば，Ａは排水集合管支持金具，２は集合管，４０はコンクリートスラブであり，上記支持金具Ａは，所定間隔左右一対の支柱１０と，該一対の支柱１０に長手方向端部を上下方向スライド自在且つその任意の高さ位置で固定自在とした前後に一対のバンド部材２０とを備えたものとしてある。
【００１２】
上記一対の支柱１０は，これをコンクリートスラブＣ上に起立固定してあり，本例において該支柱１０は，例えば防振ゴム等の弾性部材による防振材１３を下面に備えて，コンクリートスラブ４０にアンカー等の固定金具を用いて載置固定するようにした鋼製ベース部材１１を用いて，該ベース部材１１上に，溶着，螺着等適宜の固定手段を施すことによって上向き垂直に起立したベース付鋼製一体のものとしてある。
【００１３】
このとき支持金具Ａの上下方向スライド自在とする構成は，これを，上記一対の支柱１０を断面Ｌ字状とするとともにそのＬ字コーナー位置を前後にずらすように反転した内側対面状に配置するものとしてある。
【００１４】
即ち上記ベース付鋼製一体の支柱１０は，これを，等辺又は不等辺とすることによって断面Ｌ字状をなす鋼製のアングル材（山形鋼といってもよい）を用いるものとし，そのコンクリートスラブ４０の起立固定による設置を，図２に示すように，一対の支柱１０のＬ字コーナー位置が前後にずれて内側同士が対面する反転状態とするように配置するものとしてあり，これによって各支柱１０がコーナーを前後にずらしてそのＬ字の外側面が外向きになるように配置してある。
【００１５】
上記一対のバンド部材２０は，前後に対向配置することによって支柱１０間中央位置に支持バンドとして平面円形の集合管抱持部を形成する帯状にして平面半円のバンド部２１及びその両側に支柱１０側に向けて突出した帯状の支持アーム部２３を有し該支持アーム部２３中間位置で相互に固定自在としたものとしてあり，本例にあって該一対のバンド部材２０は，帯状の鋼板をプレス加工することによって中央位置の半円部をなす上記半円のバンド部２１と，その端部位置から横方向に向けて突出し中間位置に透孔２４を透設することによって両側の直線部をなす支持アーム部２３を備えた正面において帯状にして平面において両側フィン付Ｃ字状の鋼製一体のものとしてある。
【００１６】
該一対のバンド部材２０は，その両側の支持アーム部２３同士が相互に面接するように前後に対向配置し，上記透孔にボルト３０を挿通し反対側においてナット３１を螺装することによって一体化して支持バンドとしてその中央位置に形成される円形の集合管抱持部によって集合管２を抱持するとともに一体化した双方の支持アーム部２３の長手方向両端部を一対の支柱１０に上記上下方向スライド自在且つその任意の高さ位置で固定自在としてある。
【００１７】
このとき上記一対のバンド部材２０は，その支持アーム部２３の各長手方向一方の先端部に上記アングル材の外側面に添って２面で対接し且つ先端に外れ止め用の折返片２７を有して上記アングル材に上下方向スライド自在とするスライドガイド２５を形成することによるものとし，また支柱１０の任意高さ位置で固定自在とする構成は，これを，該スライドガイド２５乃至その近傍の支持アーム部２３にアングル材外側面を押圧することによって上記一対のバンド部材２０を任意高さ位置で押圧固定自在とする固定部材３２とを備えることによるものとしてある。
【００１８】
即ち一対のバンド部材２０は，その両側の支持アーム部２３の一方の先端部にして支持金具Ａの支持バンドをなすように合体した状態，即ち上記一体化した状態で他方のバンド部材２０と逆の位置となるようにそれぞれスライドガイド２５を形成してあり，このとき該スライドガイド２５は，上記直線部をなす支持アーム部２３の一方を他方より長寸とし，該長寸部分をプレス加工等により折曲することによって，アングル材の上記外向きの外側面に，支持アーム部２３の長手方向先端の端部面とともに２面で対接するものとし且つその先端に上記外れ止め用の折返片２７を有するものとしてあり，本例にあって該スライドガイド２５は，これを支持アーム部２３に直交する折曲片２６とその先端の傾斜折返片２７とによって支持アーム部２３先端にレ字状に形成したものとしてあり，このとき該折曲片２６の幅を支柱１０のアングル面１辺の出幅と略同幅とすることによって上記２面の対接を行なうようにし，また本例の折返片２７はこれを小幅とし，その傾斜角度を上記折曲片２６と，例えば３０乃至６０度程度とすることによってアングル材による支柱１０を外側から抱え込むようにし，これらの間に形成される幾分かのクリアランスによって支柱１０に添ってその上下方向スライドを可及的安定且つ確実になし得るようにしてあり，このとき本例の傾斜折返片２７は，これを，例えば好ましい１ｃｍ程度の小幅にして４５度程度の角度としてある。
【００１９】
該スライドガイド２５は，上記支持アーム部２３の各長手方向一方の逆位置の先端部に形成されているから，上記一対のバンド部材２０を一体化した状態でそのまま直線部をなしている他方の支持アーム部２３の先端と当ったりすることなく，これを内側に受入れて支持バンド，ひいては支持金具Ａを納まりよく形成することができ，また断面Ｌ字状の支柱１０はアングル材としたことによってスライドガイド２５の装着は，支柱１０の上端から該支柱１０に添うようにスライドガイド２５を落とし込むようにスライドガイド２５に支柱１０を挿入することによって簡易且つ確実になし得るとともに支柱１０に対してその上下方向のスライドが容易且つスムーズになし得るものとなる。
【００２０】
一方支柱１０の任意高さ位置で一対のバンド部材２０乃至これによるバンドを固定自在とする固定部材は，例えばアングル材の外側面とスライドガイド２５との間で間隔を形成乃至拡大するように外側に向けて突っ張り状とする突っ張り手段とするのが簡易であり，例えばこれらの間に打ち込むことによって突っ張りを行う楔等も可能であるが，本例にあって該固定部材は，支持アーム部２３又はスライドガイド２５に形成乃至設置したナット２８に螺装することによってアングル材外側面を押圧するネジ部材によるものとしてあり，このとき本例の上記一対のバンド部材２０におけるスライドガイド２５を設置した支持アーム部２３の支柱１０重合位置に雌ネジを刻設したボルト孔によるナット２８を形成し，該ナット２８に前後方向にネジ部材としてボルト３２を螺装することによって支持アーム部２３を基準にアングル材を押圧してこれらの間で上記突っ張り手段をなすようにしてある。
【００２１】
従って集合管２基部３の位置や長さ（高さ）に合せて，バンド部２１によって該基部３を抱持するように一対のバンド部材２０を支柱１０の所定高さ位置にスライドし，その位置決めを行った後に，上記突っ張り手段のボルト３２を螺装することによって該ボルト３２の先端がバンド部材２０の，例えば上記支持アーム部２３から支柱１０のアングル材外側面を押圧することによって該一対のバンド部材２０が任意高さ位置で押圧固定されるに至り，本例にあっては支持アーム部２３中間位置の透孔２４にボルト３０を挿通し該ボルト３０にナット３１を螺装して一対のバンド片２０の支持アーム部２３を一体化してバンドを構成するようにするところ，その位置を上記突っ張り手段のボルト３２の位置からさほど離隔しないようにすることにより，該ボルトナット３０，３１による支持アーム部２３の締着効果と相俟って強固な突っ張り効果を簡易且つ確実に得られるようにしてある。
【００２２】
本例の支持金具Ａを用いた集合管２の支持の方法は，例えばコンクリートスラブ４０に支柱１０を一対のバンド部材２０のスライドガイド２５位置に合せて反転した内側対面状の配置となるように起立固定し，スライドガイド２５を支柱１０の外側面に添って２面で対接し，折返片２７を支柱１０に引っ掛けるようにスライドガイド２５を支柱１０上端のスライドスタート位置から落し込み状に挿入して一対のバンド部材２０をそれぞれ支柱１０に装着し，各バンド部材２０を主管１に連結された集合管２の基部３支持位置にスライドしてその位置決めを行ない，その後にこれら一対のバンド部材２０をボルト３０で一体化し且つ支持アーム部２３又はスライドガイド２５に形成し乃至設置したナット２８にネジ部材３２を螺装することによってその固定部材による固定を行なうようにすればよく，このとき一対のバンド部材２０は，支柱１０に対する上下方向スライド幅を可及的大きく確保したものとなり，特に本例にあっては該支柱１０の長さ（高さ）の全長乃至ほぼ全長に亘るスライドを可能とするとともにその任意位置の固定による支持を可能とするので，支持金具Ａは，メーカーによって仕様が様々な集合管２に可及的に共通使用することができ，またその支柱１０は断面Ｌ字状のアングル材であることによって，上記全長乃至ほぼ全長のスライドが可能であるにも拘らず，支柱１０としての強度が弱まる可能性がなく，その強度を可及的高度に確保し，長期に亘る耐久性を備えたものとなる。
【００２３】
図中１２は，支柱１０のベース部材１１におけるアンカー位置調整用に長孔の透孔としたアンカー孔，２２は一対のバンド部材２０の各バンド部２１上下にこれを前後で覆うようにそれぞれ装着した防振ゴム等の弾性部材による防振材を示す。
【００２４】
図示した例は以上のとおりとしたが，例えばスライドガイドの支柱に対接する上記折曲片を単一乃至複数の線接触用リブによるものとし，また両端が接触しその中間を外側に湾曲した両側面接のものとすること，スライドガイドの支柱への装着を一対のバンド片の弾性を利用してスナップイン的に行なうようにすること，この場合に支柱に天板を設置するようにすること等を含めて，本発明の実施に当って，支持金具，その支柱，バンド片，そのバンド部，支持アーム部，スライドガイド，その折返片，集合管，必要に応じて用いる折曲片，傾斜折返片，ネジ部材等の各具体的形状，構造，材質，寸法，これらの関係，これらに対する付加，使用の方法等は上記発明の要旨に反しない限り様々な形態とすることができる。
【００２５】
【発明の効果】
請求項１に記載の発明は，支柱を形状として強度に優れる断面Ｌ字状のアングル材を用いたものとするとともに，一対のバンド部材の一方の支持アーム部先端に，該アングル材の外側面に添って２面で対接し且つ先端に外れ止め用の折返片を有するスライドガイドを形成し，該スライドガイドによって上記アングル材を抱え込むように上下方向スライド自在とするとともにこのスライドガイド乃至その近傍に固定部材を配置し，該固定部材によってその内側に位置するアングル材の外側面を押圧することによって，一対のバンド部材を任意高さ位置で押圧固定自在とするものとしたから，一対のバンド部材の支柱に対する上下方向スライド幅を可及的大きく確保したものとし得るとともにその任意位置における一対のバンド部材の固定支持を可能とし，メーカーによって仕様が様々な集合管に可及的に共通使用することができ，また支柱を断面Ｌ字状のアングル材としたことによって，上記上下方向スライド幅を大きく確保し得るにも拘らず，強度が弱まる可能性がなく，支柱強度を可及的高度に確保し，長期に亘る耐久性を備えた排水集合管支持金具を提供することができる。
【００２６】
請求項２に記載の発明は，上記に加えて，スライドガイドを，その加工が比較的容易にしてアングル材に対するして上下方向スライドを可及的確実になし得て，アングル材からの外れや，引っ掛りによるスライド不良を生じることのないものとすることができる。
【００２７】
請求項３に記載の発明は，同じく上記に加えて，固定部材を，可及的簡単な構造にして簡易な操作によって確実な固定をなし得るものとすることができる。
【図面の簡単な説明】
【図１】支持金具による集合管支持状態を示す斜視図である。
【図２】支持金具の平面図である。
【図３】スライドガイド部分を拡大した平面図である。
【図４】支持金具の正面図である。
【図５】支柱の側面図である。
【図６】支柱の拡大平面図である。
【図７】従来の集合管支持状態を示す斜視図である。
【符号の説明】
Ａ  支持金具
２  集合管
１０  支柱
２０  バンド部材
２１  バンド部
２２  支持アーム部
２３  防振材
２５  スライドガイド
２６  折曲片
２７  傾斜折曲片
４０  コンクリートスラブ
【図１】
2004156256.tif 000003
【図２】
2004156256.tif 000004
【図３】
2004156256.tif 000005
【図４】
2004156256.tif 000006
【図５】
2004156256.tif 000007
【図６】
2004156256.tif 000008
【図７】
2004156256.tif 000009